(57)【要約】【課題】  書類収納管理システム等のラックに収納されるファイルボックスＢ等に、タグＴを簡便に着脱でき、製作が容易なタグ止着用ポケットを提供すること。【課題を解決するための手段】  可撓性シートからなる基板１のほぼ中央に、二本の折線１ａ、１ｂを刻設して形成される外側壁２の左右面を、それぞれ左側を背面板３、右側を正面板４とし、該正面板４の右側には二本の折線１ｃ、１ｄを刻設して、内側壁５を形成し、さらに内側壁５に連設して固着片５ａを形成すると共に、内側壁５又は外側壁２の上方から垂直状のスリット５ｂを設け、該スリット５ｂに連なる下方には止着穴５ｈを設けている。【選択図】  図２
2006123485.tif 000002
【特許請求の範囲】
【請求項１】
可撓性シートからなる基板のほぼ中央に、二本の折線を刻設して形成される外側壁の左右面を、それぞれ左側を背面板、右側を正面板とし、該正面板の右側には二本の折線を刻設して、内側壁を形成し、さらに内側壁に連設して固着片を形成すると共に、内側壁又は外側壁の上方から垂直状のスリットを設け、該スリットに連なる下方には止着穴を設けたことを特徴とする、タグ止着用ポケット。
【請求項２】
前記可撓性シートが熱可塑性合成樹脂又は紙を素材とすることを特徴とする、請求項１記載のタグ止着用ポケット。
【請求項３】
前記背面板及び正面板の上辺から外側壁の上辺に向けて、それぞれ下り勾配を形成したことを特徴とする、請求項１及び請求項２記載のタグ止着用ポケット。
【請求項４】
前記ポケットの内径寸法は、タグの外径寸法とほぼ同一又はやや大としていることを特徴とする、請求項１ないし請求項３記載のタグ止着用ポケット。
【請求項５】
前記ポケットに形成されるスリットの巾寸法は、タグに形成された突起の直径より小とすると共に、止着穴の直径は突起の直径とほぼ同一としていることを特徴とする、請求項１ないし請求項４記載のタグ止着用ポケット。
【請求項６】
前記ポケットに設けたスリットの挿入口の両端部は、円みを形成していることを特徴とする、請求項１ないし請求項５記載のタグ止着用ポケット。
【請求項７】
前記内側壁、外側壁、背面板又は正面板のいずれかの外表面に、離型紙付きの両面テープを貼着した請求項１ないし請求項６記載のタグ止着用ポケット。
【請求項８】
左辺及び下辺を閉塞し、上辺及び右辺を解放した、ほぼ矩形状のフォルダーにおいて、
ＬＥＤ、電池、ＩＣチップ等が収納されたタグを止着する、ポケット付きフォルダーであって、
可撓性シートからなる基板の右辺から、一体的に連設する突出片を形成し、該突出片には複数の折線を刻設すると共に内側壁又は外側壁の上方から下方に向けてスリットとこれに連なる止着穴を設け、
前記突出片に形成された折線を介して内方に折り返し、該突出片の端縁を基板に溶着又は接着してポケットを形成したことを特徴とする、ポケット付きフォルダー。
【請求項９】
前記可撓性シートが熱可塑性合成樹脂又は紙を素材とすることを特徴とする、請求項８記載のポケット付きフォルダー。
【請求項１０】
前記ポケットの内径寸法は、タグの外径寸法とほぼ同一又はやや大としていることを特徴とする、請求項８及び請求項９記載のポケット付きフォルダー。
【請求項１１】
前記ポケットに形成されるスリットの巾寸法は、タグに形成された突起の直径より小とすると共に、止着穴の直径は突起の直径とほぼ同一としていることを特徴とする、請求項８ないし請求項１０記載のポケット付きフォルダー。
【請求項１２】
前記ポケットに設けたスリットの挿入口の両端部は、円みを形成していることを特徴とする、請求項８ないし請求項１１記載のポケット付きフォルダー。
【請求項１３】
前記ポケットの下方には、前記基板の右辺から、一体的に連設されたインデックス袋部を形成していることを特徴とする、請求項８ないし請求項１２記載のポケット付きフォルダー。
【発明の詳細な説明】
【技術分野】
【０００１】  本発明は、タグ止着用ポケット及びポケット付きフォルダーに関し、特にラック等に収納した複数の書類群から、所望の書類をコンピュータ等により検索し、発光ダイオード（ＬＥＤ）を点滅する検索システム等に使用される、ＬＥＤ、電池、ＩＣチップ等が収納されたタグを止着する、タグ止着用ポケット及びポケット付きフォルダーに関する。
【背景技術】
【０００２】  近年、企業はもとより医療機関、行政機関等においては、膨大な各種の書類をラック、キャビネット等に収納しコンピュータを用いて集中管理する、書類収納管理システム又は装置を導入している。【０００３】  書類収納管理システム又は装置として、例えば特開平９−８６６１４、特開２００２−１７５３１０等があり、前者は、棚に収納する全てのカルテファイルを一冊づつ透明樹脂製のファイルに収容し、このファイルにコンピュータからの信号を光学的に受信する受信部と発光ダイオードとを備えたＩＤチップとを装着するようにしたもので、取り出すべきカルテファイルのファイル番号がコンピュータに入力されると、コンピュータは、そのファイル番号を光信号に変換して送出する。すると各ファイルに装着されたＩＤチップがそれぞれコンピュータから光信号で送出されたファイル番号を受信し、自己に設定されたファイル番号と比較して一致した場合に発光ダイオードを点灯させるようにしている。【０００４】  特開２００２−１７５３１０は、所望のカルテファイルの識別情報を含む検索情報を格納する格納部と、検索情報を送信信号としてカルテファイルに向けて照射する赤外線照射部とを有した検索リモコンを備え、複数のカルテファイルは、送信信号を受信する赤外線受光部とＬＥＤ発光部と受信された検索情報内の識別情報と自識別情報とを照合し、一致する場合に前記発光手段を発光させる制御部とを有した検索ユニットをそれぞれ備えることを特徴としている。【０００５】  近時、ＬＥＤ、ＩＣチップ、電池等の小型化、普及に伴いこれらの部材がコンパクトに収納されたタグを発光手段として、上記の特許文献１及び特許文献２のような書類収納管理システム又は装置に採用されるようになってきている。
【特許文献１】特開平９−８６６１号公報
【特許文献２】特開２００２−１７５３１０号公報
【発明の開示】
【発明が解決しようとする課題】
【０００６】  しかしながら、ＬＥＤ、ＩＣチップ、電池等が収納されたタグは、フォルダー、ファイル等の側端面に形成した見出し部に挟着したり、接着材等で固定したりしているためにタグを床面に落下したり、電池交換等においては、タグを見出し部から取り外したり又は接着材を剥離するかファイル等を破棄しなければならないという不都合がある。【０００７】  本発明の目的は、上記の課題に鑑みて創出されたもので、書類収納管理システム又は装置のラック等に収納されるファイルボックス、フォルダー等に、タグを簡便に着脱でき、製作が容易な、タグ止着用ポケット及びポケット付きフォルダーを提供することにある。
【課題を解決するための手段】
【０００８】  上記の課題を解決するための請求項１の発明は、可撓性シートからなる基板のほぼ中央に、二本の折線を刻設して形成される外側壁の左右面を、それぞれ左側を背面板、右側を正面板とし、該正面板の右側には二本の折線を刻設して、内側壁を形成し、さらに内側壁に連設して固着片を形成すると共に、内側壁又は外側壁の上方から垂直状のスリットを設け、該スリットに連なる下方には止着穴を設けたことを特徴としている。【０００９】  請求項２の発明は、請求項１の発明において、前記可撓性シートが熱可塑性合成樹脂又は紙を素材とすることを特徴としている。【００１０】  請求項３の発明は、請求項１及び請求項２の発明において、前記背面板及び正面板の上辺から外側壁の上辺に向けて、それぞれ下り勾配を形成したことを特徴としている。【００１１】  請求項４の発明は、請求項１ないし請求項３の発明において、前記ポケットの内径寸法は、タグの外径寸法とほぼ同一又はやや大としていることを特徴としている。【００１２】  請求項５の発明は、請求項１ないし請求項４の発明において、前記ポケットに形成されるスリットの巾寸法は、タグに形成された突起の直径より小とすると共に、止着穴の直径は突起の直径とほぼ同一としていることを特徴としている。【００１３】  請求項６の発明は、請求項１ないし請求項５の発明において、前記ポケットに設けたスリットの挿入口の両端部は、円みを形成していることを特徴としている。【００１４】  請求項７の発明は、請求項１ないし請求項６の発明において、前記内側壁、外側壁、背面板又は正面板のいずれかの外表面に、離型紙付きの両面テープを貼着したことを特徴としている。【００１５】  請求項８の発明は、左辺及び下辺を閉塞し、上辺及び右辺を解放した、ほぼ矩形状のフォルダーにおいて、ＬＥＤ、電池、ＩＣチップ等が収納されたタグを止着する、ポケット付きフォルダーであって、可撓性シートからなる基板の右辺から、一体的に連設する突出片を形成し、該突出片には複数の折線を刻設すると共に内側壁又は外側壁の上方から下方に向けてスリットとこれに連なる止着穴を設け、前記突出片に形成された折線を介して内方に折り返し、該突出片の端縁を基板に溶着又は接着してポケットを形成したことを特徴としている。【００１６】  請求項９の発明は、請求項８の発明において、前記可撓性シートが熱可塑性合成樹脂又は紙を素材とすることを特徴としている。【００１７】  請求項１０の発明は、請求項８及び請求項９の発明において、前記ポケットの内径寸法は、タグの外径寸法とほぼ同一又はやや大としていることを特徴としている。【００１８】  請求項１１の発明は、請求項８ないし請求項１０の発明において、前記ポケットに形成されるスリットの巾寸法は、タグに形成された突起の直径より小とすると共に、止着穴の直径は突起の直径とほぼ同一としていることを特徴としている。【００１９】  請求項１２の発明は、請求項８ないし請求項１１の発明において、前記ポケットに設けたスリットの挿入口の両端部は、円みを形成していることを特徴としている。【００２０】  請求項１３の発明は、請求項８ないし請求項１２の発明において、前記ポケットの下方には、前記基板の右辺から、一体的に���設されたインデックス袋部を形成していることを特徴としている。
【発明の効果】
【００２１】  本発明に係る、タグ止着用ポケット及びポケット付きフォルダーは、以下の効果を奏する。即ち請求項１及び請求項２の発明によれば、合成樹脂又は紙を素材とする可撓性シートを、切断、折曲及び溶着等の簡易作業で大量生産が可能なので、製作コストが安価である。【００２２】  請求項３ないし請求項６の発明によれば、タグをポケットに円滑にかつ確実に止着することができ、電池交換等にさいしては、容易に取り出すこともできる。【００２３】  請求項７の発明によれば、ファイルボックス、フォルダー、ファイル、バインダー等々各種書類整理具の適宜部位に装着して使用できる、汎用性を有する。【００２４】  請求項８及び請求項９の発明によれば、合成樹脂又は紙を素材とする可撓性シートを、切断、折曲及び溶着等の簡易作業で大量生産が可能なので、製作コストが安価である。【００２５】  請求項１０ないし請求項１２の発明によれば、タグをポケットに円滑にかつ確実に止着することができ、電池交換等にさいしては、容易に取り出すこともできる。【００２６】  請求項１３の発明によれば、点灯したフォルダーが所望のフォルダーであるか、インデックスですぐに照合することができ、簡便である。
【発明を実施するための最良の形態】
【００２７】  以下、添付の図面に基づいて、その好適な実施形態を説明する。図１は本発明に係る、タグ止着用ポケットの展開図、図２は組み立て状態の斜視図、図３は使用状態の斜視図、図４はタグを収納した状態の横断面図、図５はポケット付きフォルダーの展開図、図６は組み立て状態の要部拡大斜視図、図７は使用状態を示す斜視図である。【００２８】  タグ止着用ポケット（以下、ポケットＰという）は、図１に示すように、熱可塑性合成樹脂材例えば、ポリプロピレン等を素材とする可撓性シートからなり、１は基板で、そのほぼ中央部Ｃの近傍に折線１ａ及び１ｂを刻設して外側壁２を形成し、その左側を背面板３、右側を正面板４とし、該正面板４に連設して折線１ｃ及び１ｄを刻設して、内側壁５を形成し、さらに該内側壁５の右側には、背面板３に延設された延設片３ａに接着される固着片５ａを形成している。また内側壁５の上方から下方に向けてスリット５ｂとこれに連なる止着穴５ｈが設けられ、スリット５ｂの挿入口の両端５ｃは円みがつけられている。また３ｂは、背面板３の上辺から外側壁２の上辺に形成された下り勾配で、４ａは、正面板４の上辺から外側壁２の上辺に形成された下り勾配である。【００２９】  ポケットＰの組み立ては以下の手順で行われる。まず、基板１のほぼ中央部Ｃの折線１ａ及び１ｂをそれぞれ谷折りして外側壁２を形成し、次に内側壁５の折線１ｃ及び１ｄをそれぞれ谷折りして内側壁５を形成すると共に、固着片５ａは、背面板３の延設片３ａに重合し、接着剤又はシーラー等により、接着又は溶着され、最後に離型紙付きの両面シール６が延設片３ａの裏面に貼付される。なお、両面シール６の貼付部位は、装着する各種の書類整理具及びラック等によって、適宜選択される。【００３０】  図３は使用状態の一例を示し、ポケットＰの延設片３ａの裏面に貼付された両面シール６を離型紙を剥離し、接着剤塗布面をファイルボックスＢの外側部端縁に押圧すれば、ポケットＰは、容易にファイルボックスＢ装着される。【００３１】  Ｔは発光ダイオード（ＬＥＤ）Ｔａ、電池Ｔｂ及びＩＣチップＴｃ等が装填されるタグで、矢印のようにタグＴの底部からポケットＰに挿入されていくが、タグＴの外側壁に設けた突起Ｔｄは、スリット５ｂを拡開しながら円滑に止着穴５ｈに到達して固定される。【００３２】  図４に示すように、ポケットＰの内径寸法Ｌ及びＤは、タグＴの外径寸法とほぼ同一又はやや大とされ、スリット５ｂの巾寸法は、タグＴに形成された突起Ｔｄの直径より小とすると共に、止着穴５ｈの直径は突起Ｔｄの直径とほぼ同一としている。【００３３】  本発明に係る、ポケット付きフォルダー（以下、フォルダーＦという）は図５に示すように、熱可塑性合成樹脂材例えば、ポリプロピレン等を素材とする可撓性シートからなり、１０は基板で、２０は蓋板で折線２０ａ及び２０ｂをそれぞれ谷折りして基板１０に接合してマチ２０ｃを設けて下辺３０とし、左辺４０は折線４０ａ及び４０ｂをそれぞれ谷折りしてマチ４０ｃを設け、その端縁４０ｄは蓋板２０の端縁２０ｄに溶着される。【００３４】  ５０は上辺で、右辺６０と共に書類等が出入可能に解放され、右辺６０のほぼ中間には基板１０から一体的に連設された突出片��０とインデックス片８０が形成され、突出片７０には折線７０ａ、７０ｂ、７０ｃ及び７０ｄが刻設され、該折線７０ｃと７０ｄで形成される内側壁７０ｅには拡大部Ａに示すように、上方から下方に向けてスリット７０ｆとこれに連なる止着穴７０ｈが設けられ、またスリット７０ｆの挿入口の両端７０ｆ’には円みがつけられている。【００３５】  図５及び図６に示すように、突出片７０の折線７０ａ、７０ｂ、７０ｃ及び７０ｄは、それぞれ谷折りされ、端縁７０ｊは、基板１０にシーラー等で溶着されて無底のポケットＰ’が形成される。【００３６】  図６におけるＴは、発光ダイオード（ＬＥＤ）Ｔａ、電池Ｔｂ及びＩＣチップＴｃ等が装填されるタグで、矢印のようにタグＴの底部からポケットＰ’に挿入されていくが、タグＴの外側壁に設けた突起Ｔｄは、スリット７０ｆを拡開しながら円滑に止着穴７０ｈに到達して固定される。【００３７】  基板１０の右辺６０に突出片７０と共に一体的に連設されたインデックス片８０は折線８０ａを谷折りし、端縁８０ｂは基板１０に溶着されて袋部８０’が形成される。【００３８】  図７に示すように、フォルダーＦ又はタグＴ収納のポケットＰを装着したファイルボックスＢ（不図示）等は、専用のラックＳ等に収納され、管理用コンピュータ（不図示）からフォルダーＦの取出し指示が送られると、フォルダーＦが収納されているラックＳ上部のランプＳａが点灯し、点灯したランプＳａを作業者が押すと、該当フォルダーＦのＬＥＤが点滅し、作業者はこれを取り出し、インデックス袋部８０’内の内容を確認してフォルダーＦ又はファイルボックスＢ等の検索、取出し作業は終了する。
【図面の簡単な説明】
【００３９】
【図１】本発明に係る、タグ止着用ポケットの展開図である。
【図２】同、タグ止着用ポケットの展開図、図２はである。
【図３】同、使用状態の斜視図である。
【図４】同、タグを収納した状態の横断面図である。
【図５】本発明に係る、ポケット付きフォルダーの展開図である。
【図６】同、組み立て状態の要部拡大斜視図である。
【図７】同、使用状態を示す斜視図である。
【符号の説明】
【００４０】Ｐ                              タグ止着用ポケット
１                              基板
２                              外側壁
３                              背面板
４                              正面板
１ａ、１ｂ、１ｃ、１ｄ          折線
３ｂ、４ａ                      下り勾配
５                              内側壁
５ａ                            固着片
５ｂ                            スリット
５ｃ                            円み
５ｈ                            止着穴
６                              両面シール
Ｔ                              タグ
Ｂ                              ファイルボックス
Ｆ                              フォルダー
Ｐ’                            ポケット
１０                            基板
２０                            蓋板
７０                            突出片
７０ａ、７０ｂ、７０ｃ、７０ｄ  折線
７０ｅ                          内側壁
７０ｆ                          スリット
７０ｈ                          止着穴
７０ｆ’                        円み
【図１】
2006123485.tif 000003
【図２】
2006123485.tif 000004
【図３】
2006123485.tif 000005
【図４】
2006123485.tif 000006
【図５】
2006123485.tif 000007
【図６】
2006123485.tif 000008
【図７】
2006123485.tif 000009